(57)【要約】【課題】ワイドバンドＬＮＢの回路レイアウトにおいて、スイッチ回路へ信号を導く線路の交差を無くしてアイソレーションの劣化を防止し、また周波数変換ブロック同士の干渉によるスプリアスの発生を抑制すること。【解決手段】第１及び第２のスイッチ回路１１８、１２８、第３〜第６の周波数変換回路２２４，２２５，３２４，３２５を同一基板面である第２回路基板面２２に構成し、第１及び第２のスイッチ回路１１８，１２８を、第１及び第２の導出位置３１０，３１１を結んだ線分Ｌ１を挟むように対向配置する。第１のスイッチ回路１１８を第１及び第２の入力端子１１８ａ、１１８ｂが線分Ｌ１に近づくような向きとし、第２のスイッチ回路１２８を第３及び第４の入力端子１２８ａ，１２８ｂが線分Ｌ１に近づくような向きとした。【選択図】図１
2007129313.tif 000002
【特許請求の範囲】
【請求項１】
衛星から受信した第１の放送チャンネル信号を群変換して第１のチャンネル信号群を得る第１の周波数変換ブロックと、
衛星から受信した第２の放送チャンネル信号を群変換して第２のチャンネル信号群を得る第２の周波数変換ブロックと、
前記第１のチャンネル信号群及び第２のチャンネル信号群が入力する第１及び第２の入力端子を有すると共に選択された一方のチャンネル信号群をそれぞれ出力する第１及び第２の出力端子を有する第１のスイッチ回路と、
前記第１のチャンネル信号群及び第２のチャンネル信号群が入力する第３及び第４の入力端子を有すると共に選択された一方のチャンネル信号群をそれぞれ出力する第３及び第４の出力端子を有する第２のスイッチ回路と、
前記第１及び第２のスイッチ回路の第１〜第４の出力端子に対応してそれぞれ設けられ、対応する出力端子から入力するチャンネル群信号をそれぞれ所定の固定周波数に変換する第３〜第６の周波数変換ブロックと、を備え、
前記第１及び第２のスイッチ回路、前記第３〜第６の周波数変換ブロックを同一基板面に構成し、前記第１及び第２のスイッチ回路を、前記第１及び第２のチャンネル信号群を当該基板面にそれぞれ導出する第１及び第２の導出位置を結んだ線分を挟むように対向配置し、前記第１のスイッチ回路を第１及び第２の入力端子が第１及び第２の出力端子よりも前記線分に近づくような向きとし、第２のスイッチ回路を第３及び第４の入力端子が第３及び第４の出力端子よりも前記線分に近づくような向きとしたことを特徴とする衛星放送受信用周波数変換器。
【請求項２】
前記第３及び第４の周波数変換ブロックは、前記第１及び第２の導出位置を結んだ線分に対して第１のスイッチ回路と同一サイドに当該第１のスイッチ回路を中心にして振り分けて配置され、前記第５及び第６の周波数変換ブロックは、前記第１及び第２の導出位置を結んだ線分に対して第２のスイッチ回路と同一サイドに当該第２のスイッチ回路を中心にして振り分けて配置されたことを特徴とする請求項１記載の衛星放送受信用周波数変換器。
【請求項３】
前記第１及び第２の周波数変換ブロックは、前記第１及び第２のスイッチ回路、前記第３〜第６の周波数変換ブロックが構成された基板面とは異なる基板面に構成したことを特徴とする請求項１又は請求項２記載の衛星放送受信用周波数変換器。
【発明の詳細な説明】
【技術分野】
【０００１】
本発明は、１本の出力ケーブルに複数の信号を載せて出力可能な衛星放送受信用周波数変換器における回路基板上での回路レイアウトに関する。
【背景技術】
【０００２】
従来、１つの衛星放送受信用周波数変換器（ＬＮＢ：ローノイズブロックコンバータ）に対して４つのＢＳレシーバ（例えば、２チューナ内蔵ＢＳレシーバを２台）を接続したいといった要望があり、出力端子を４つ備えた４出力ＬＮＢが存在した。ところが、４出力ＬＮＢはＢＳレシーバとの間に４本のケーブルが必要となり経済的負担が大きかった。そこで、１本のケーブルに４つの信号を載せて出力するＬＮＢが提案された（例えば、特許文献１参照）。
【０００３】
図６は、１本のケーブルに４つの信号を載せて出力するＬＮＢの構成例を示す図である。衛星から送信された複数の第１の放送信号（例えば水平偏波信号Ｈ）及び複数の第２の放送信号（例えば垂直偏波信号Ｖ）が受信されてＬＮＢへ入力される。ＬＮＢの一方の低雑音増幅器２１１に水平偏波信号Ｈが入力され、他方の低雑音増幅器３１１に垂直偏波信号Ｖが入力される。一方の低雑音増幅器２１１から出力される水平偏波信号Ｈは分配器２１２でローバンド用及びハイバンド用に分岐され、他方の低雑音増幅器３１１から出力される垂直偏波信号Ｖも分配器３１２でローバンド用及びハイバンド用に分岐される。分岐されたローバンド用の水平偏波信号Ｈ及び垂直偏波信号Ｖはバンドパスフィルタ２１３、２１４でローバンド（例えば、１０．７ＧＨｚ〜１１．７ＧＨｚ）が取り出される。また、分岐されたハイバンド用の水平偏波信号Ｈ及び垂直偏波信号Ｖはバンドパスフィルタ３１３、３１４でハイバンド（例えば、１１．７ＧＨｚ〜１２．７５ＧＨｚ）が取り出される。ローバンド側（１０．７ＧＨｚ〜１１．７ＧＨｚ）の水平偏波信号Ｈ及び垂直偏波信号Ｖは混合器２１５，２１６において、例えば０．９５ＧＨｚ〜１．９５ＧＨｚに周波数変換され、ハイバンド側（１１．７ＧＨｚ〜１２．７５ＧＨｚ）の水平偏波信号Ｈ及び垂直偏波信号Ｖは混合器３１５，３１６において、例えば１．１０ＧＨｚ〜２．１５ＧＨｚに周波数変換される。ローバンド側の混合器２１５，２１６に対して発振器２１７が設けられ、ハイバンド側の混合器３１５，３１６に対して発振器３１７が設けられている。０．９５ＧＨｚ〜１．９５ＧＨｚの周波数域に周波数変換された水平偏波信号Ｈ及び垂直偏波信号Ｖは増幅器２１８，２１９で増幅された後、分配器２２１，２２２で再び分岐される。１．１０ＧＨｚ〜２．１５ＧＨｚの周波数域に周波数変換された水平偏波信号Ｈ及び垂直偏波信号Ｖも増幅器３１８，３１９で増幅された後、分配器３２１，３２２で再び分岐される。そして、２つのスイッチ回路２２３、３２３に対して４つの分配器２２１，２２２，３２１，３２２から出力される４つの信号がそれぞれ入力する。すなわち、各スイッチ回路２２３、３２３に水平偏波信号Ｈのローバンド及びハイバンド信号、垂直偏波信号Ｖのローバンド及びハイバンド信号が入力される。一方のスイッチ回路２２３は２つの信号を選択して周波数変換ブロック（以下、「ＦＣＢ」という）２２４，２２５へ並列に出力し、他方のスイッチ回路３２３も２つの信号を選択して各ＦＣＢ３２４，３２５へ並列に出力する。各ＦＣＢ２２４，２２５，３２４，３２５は、水平偏波信号Ｈ及び垂直偏波信号Ｖを０．９５ＧＨｚ〜１．９５ＧＨｚ又は１．１０ＧＨｚ〜２．１５ＧＨｚの周波数帯域から各々特定の固定周波数（例えば、ＦＣＢ２２４が１．４ＧＨｚ、ＦＣＢ２２５が１．５２６ＧＨｚ、ＦＣＢ３２４が１．６３２ＧＨｚ、ＦＣＢ３２５が１．７４８ＧＨｚ）に周波数変換する。各ＦＣＢ２２４，２２５，３２４，３２５で固定周波数に変換された信号は対応するバンドパスフィルタ２２７，２２８，３２７，３２８で不要周波数成分をカットされた後、パワーコンバイナ２２９で電力合成し、増幅器２３０を経由して出力ポートに接続されたケーブルへ出力される。
【０００４】
しかし、図６に示すＬＮＢは、ＲＦ信号から０．９５ＧＨｚ〜１．９５ＧＨｚと１．１０ＧＨｚ〜２．１５ＧＨｚの２つのＩＦ信号に変換しているため、分配器２１２，３１２からスイッチ回路２２３，３２３までの間に２つの発振器２１７，３１７、４つの混合器２１５，２１６，３１５，３１６等が必要となり、その結果、部品点数の増大を招き、コスト的にもスペース的にも不利な状況となっていた。
【０００５】
そこで、ＲＦ信号（１０．７ＧＨｚ〜１１．７ＧＨｚと１１．７ＧＨｚ〜１２．７５ＧＨｚ）から直接１つのＩＦ信号（例えば、０．５ＧＨｚ〜２．５５ＧＨｚ）へ変換することにより、部品点数の削減を図ることが考えられる。
【０００６】
図３はＲＦ信号から１つのＩＦ信号へ直接変換するようにしたＬＮＢの構成例を示す図である。ＬＮＢの一方の低雑音増幅器１１１に水平偏波信号Ｈが入力され、他方の低雑音増幅器１２１に垂直偏波信号Ｖが入力される。一方の低雑音増幅器１１１から出力される水平偏波信号Ｈはバンドパスフィルタ１１２で希望帯域（例えば、１０．７ＧＨｚ〜１２．７５ＧＨｚ）が取り出され、他方の低雑音増幅器１２１から出力される垂直偏波信号Ｖはバンドパスフィルタ１２２で希望帯域（例えば、１０．７ＧＨｚ〜１２．７５ＧＨｚ）が取り出される。一方のバンドパスフィルタ１１２で取り出された水平偏波信号ＨのＲＦ信号（１０．７ＧＨｚ〜１２．７５ＧＨｚ）に対して第１の周波数変換ブロックとなる混合器１１３で周波数変換して第１のチャンネル信号群としてのＩＦ信号(例えば、０．５ＧＨｚ〜２．５５ＧＨｚ)に変換する。また、他方のバンドパスフィルタ１２２で取り出された垂直偏波信号ＶのＲＦ信号（１０．７ＧＨｚ〜１２．７５ＧＨｚ）に対して第２の周波数変換ブロックとなる混合器１２３で周波数変換して同じ中間周波数帯の第２のチャンネル信号群としてのＩＦ信号(０．５ＧＨｚ〜２．５５ＧＨｚ)に変換する。混合器１１３，１２３に対して供給する発振周波数（例えば、１０．２ＧＨｚ）は１つの発振器１１４によるものである。発振器１１４から出力された発振信号を、増幅器１１５を介して双方の混合器１１３，１２３に入力している。なお、増幅器１１５は発振器の出力レベルによっては不要である。混合器１１３，１２３の出力するＩＦ信号は増幅器１１６，１２６を介して分配器１１７，１２７へ入力され、そこで分岐されて第１及び第２のスイッチ回路１１８及び１２８へ入力される。各スイッチ回路１１８，１２８は、水平偏波信号Ｈ及び垂直偏波信号Ｖの２つのＩＦ信号が入力し、当該２つのＩＦ信号を対応する第３〜第６の周波数変換ブロックとなるＦＣＢ２２４，２２５，３２４，３２５へ出力する。スイッチ回路１１８，１２８より後段の構成は図６に示すＬＮＢと同様である。このように、ＲＦ信号から１つのＩＦ信号へ直接変換することにより発振器及び混合器の数を削減できる。以下、図３に示すＬＮＢのように広帯域（１０．７ＧＨｚ〜１１．７ＧＨｚ／１１．７ＧＨｚ〜１２．７５ＧＨｚ）のテレビジョン信号を狭帯域(０．５ＧＨｚ〜２．５５ＧＨｚ)の信号に直接変換するＬＮＢを便宜上ワイドバンドＬＮＢと呼ぶものとする。
【０００７】
図４（ａ）（ｂ）は、図３に示す回路構成を備えたワイドバンドＬＮＢの回路レイアウト例を示す平面図であり、従来のＬＮＢの回路レイアウトの手法に従ってレイアウトしたものである。図４（ａ）に示すように回路基板２００の一方の回路基板面上に水平及び垂直偏波信号Ｈ、Ｖの入力ポート２０１，２０２から中間周波増幅器１１６，１２６までの回路素子及び線路を配置し、図４（ｂ）に示すように回路基板２００の他方の回路基板面上に入力ポート２０１，２０２側の略半分のスペースに電源供給用のＤＣ／ＤＣブロック１０８及びマイコンブロック１０９を配置している。図４（ａ）に示す一方の回路基板面には、図に現れない分配器１１７，１２７から分岐された信号を選択するスイッチ回路１１８及び当該スイッチ回路１１８からバンドパスフィルタ２２７，２２８に至る回路素子が配置される。また、図４（ｂ）に示す他方の回路基板面には、残りのスペースにスルーホール１０３，１０４を介して図に現れない分配器１１７，１２７から分岐された信号を選択するスイッチ回路１２８及び当該スイッチ回路１２８からバンドパスフィルタ３２７，３２８に至る回路素子並びにケーブル直前の増幅器２３０及び図示されていないインピーダンスマッチング回路２３１が配置される。
【０００８】
ここで、ワイドバンドＬＮＢは部品点数が削減されているものの、出力端子を４つ備えた４出力ＬＮＢに比べればＦＣＢ２２４，２２５，３２４，３２５等の部品が追加されているため、４出力ＬＮＢの回路基板に対して図４に示す網掛け領域Ｒ１だけ回路基板サイズを拡張する必要がある。
【特許文献１】米国特許出願公開第２００３／０１４１９４９号明細書
【発明の開示】
【発明が解決しようとする課題】
【０００９】
しかしながら、ワイドバンドＬＮＢの上記回路レイアウトでは４出力ＬＮＢの回路基板サイズに収まらないことになると、これまで使ってきた４出力ＬＮＢの回路基板用の金型が使用できないことになるので、新たにワイドバンドＬＮＢの回路基板専用に金型を製作し直さなければならず、コストアップになる。そのため、４出力ＬＮＢの回路基板サイズにワイドバンドＬＮＢの回路素子が収まるように、回路レイアウトを工夫する必要がある。
【００１０】
例えば、図５（ａ）（ｂ）に示すように、回路基板３００の一方の回路基板面３０１に入力ポート２０１，２０２から中間周波増幅器１１６、１２６までを配置し、スイッチ回路１１８、ＦＣＢ２２４，２２５、バンドパスフィルタ２２７，２２８、発振器２２６を他方の回路基板面３０２へ移し、一方の回路基板面３０１の空いたスペースに他方の回路基板面３０２からＤＣ／ＤＣブロック１０８を移す。ＤＣ／ＤＣブロック１０８はスイッチ回路１１８、ＦＣＢ２２４，２２５等に比べて占有スペースが小さいので、一方の回路基板面３０１においては４出力ＬＮＢの回路基板と同一サイズ内に全て収容配置できる。
【００１１】
また、他方の回路基板面３０２にはＤＣ／ＤＣブロック１０８のスペースが空く。その空きスペースには、スイッチ回路１２８及び該スイッチ回路１２８から出力される信号が通過する回路素子群を当該空きスペースの右側半分の領域に配置し、スイッチ回路１１８及び該スイッチ回路１１８から出力される信号が通過する回路素子群を当該空きスペースの左側半分の領域に配置する。スイッチ回路１１８及びスイッチ回路１２８には回路基板３００の中央部両側近傍に形成した一対のスルーホール３１０，３１１から信号が供給される。これらの回路素子はＤＣ／ＤＣブロック１０８の空きスペースを利用するので全体的に上側にシフトした配置が可能となり、他方の回路基板面３０２においても４出力ＬＮＢの回路基板と同一サイズ内に全て収容配置できる。
【００１２】
しかしながら、図５に示す回路レイアウトでは、次のような問題がある。すなわち、他方の回路基板面３０２において基板中央部の左端近傍に設けた一方のスルーホール３１０から右半分の領域に配置したスイッチ回路１２８へ信号を導く線路３１２と、基板中央部の右端近傍に設けた他方のスルーホール３１１から左半分の領域に配置したスイッチ回路１１８へ信号を導く線路３１３とが位置Ｐ１で交差するため、かかる交差部Ｐ１でアイソレーションが劣化するといった問題がある。
【００１３】
また、４つのＦＣＢ２２４，２２５，３２４，３２５が回路基板面３０２上で横方向に一直線で配列されるため、隣接するＦＣＢ同士を十分に離間させることができず、ＦＣＢ同士の干渉によるスプリアスが発生し易いといった問題がある。
【００１４】
本発明は、かかる点に鑑みてなされたものであり、複数のスイッチ回路へ信号を導く線路が交差することによるアイソレーションの劣化を解決できると共に、ＦＣＢ同士の干渉によるスプリアスの発生を抑制でき、しかも既存の回路基板サイズに収容可能な回路レイアウトを実現可能な衛星放送受信用周波数変換器を提供することを目的とする。
【課題を解決するための手段】
【００１５】
本発明の衛星放送受信用周波数変換器は、衛星から受信した第１の放送チャンネル信号を群変換して第１のチャンネル信号群を得る第１の周波数変換ブロックと、衛星から受信した第２の放送チャンネル信号を群変換して第２のチャンネル信号群を得る第２の周波数変換ブロックと、前記第１のチャンネル信号群及び第２のチャンネル信号群が入力する第１及び第２の入力端子を有すると共に選択された一方のチャンネル信号群をそれぞれ出力する第１及び第２の出力端子を有する第１のスイッチ回路と、前記第１のチャンネル信号群及び第２のチャンネル信号群が入力する第３及び第４の入力端子を有すると共に選択された一方のチャンネル信号群をそれぞれ出力する第３及び第４の出力端子を有する第２のスイッチ回路と、前記第１及び第２のスイッチ回路の第１〜第４の出力端子に対応してそれぞれ設けられ、対応する出力端子から入力するチャンネル群信号をそれぞれ所定の固定周波数に変換する第３〜第６の周波数変換ブロックと、を備え、前記第１及び第２のスイッチ回路、前記第３〜第６の周波数変換ブロックを同一基板面に構成し、前記第１及び第２のスイッチ回路を、前記第１及び第２のチャンネル信号群を当該基板面にそれぞれ導出する第１及び第２の導出位置を結んだ線分を挟むように対向配置し、前記第１のスイッチ回路を第１及び第２の入力端子が第１及び第２の出力端子よりも前記線分に近づくような向きとし、第２のスイッチ回路を第３及び第４の入力端子が第３及び第４の出力端子よりも前記線分に近づくような向きとしたことを特徴とする。
【００１６】
この構成によれば、第１及び第２のスイッチ回路を第１及び第２のチャンネル信号群を当該基板面にそれぞれ導出する第１及び第２の導出位置を結んだ線分を挟むように対向配置したので、第１及び第２のスイッチ回路の向きを線路が交差しないように設定することができ、線路が交差することによるアイソレーションの劣化を防止できる。また、第１及び第２のスイッチ回路を中心とした４角形の４頂点に第３〜第６の周波数変換ブロックを配置でき、４つの周波数変換ブロックを一直線に並べるレイアウトに比べて、隣接する周波数変換ブロックの間隔を広くとることができ、周波数変換ブロック同士の干渉によるスプリアスの発生を抑制できる。
【００１７】
また本発明は、上記衛星放送受信用周波数変換器において、前記第３及び第４の周波数変換ブロックは、前記第１及び第２の導出位置を結んだ線分に対して第１のスイッチ回路と同一サイドに当該第１のスイッチ回路を中心にして振り分けて配置され、前記第５及び第６の周波数変換ブロックは、前記第１及び第２の導出位置を結んだ線分に対して第２のスイッチ回路と同一サイドに当該第２のスイッチ回路を中心にして振り分けて配置されたことを特徴とする。
【００１８】
この構成により、第１及び第２のスイッチ回路を中心として第１〜第４の出力端子に対応した第３〜第６の周波数変換ブロックを放射状に配置でき、第３〜第６の周波数変換ブロックの間隔を効果的に広くすることができる。
【００１９】
また本発明は、上記衛星放送受信用周波数変換器において、前記第１及び第２の周波数変換ブロックは、前記第１及び第２のスイッチ回路、前記第３〜第６の周波数変換ブロックが構成された基板面とは異なる基板面に構成したことを特徴とする。
【００２０】
この構成により、第１及び第２の周波数変換ブロックが一方の基板面に配置され、第１及び第２のスイッチ回路、前記第３〜第６の周波数変換ブロックが他方の基板面に配置されるので、衛星放送受信用周波数変換器を構成する各回路素子を効率よく既存の回路基板と同一サイズの基板両面に配置できる。
【発明の効果】
【００２１】
本発明によれば、複数のスイッチ回路へ信号を導く線路が交差することによるアイソレーションの劣化を解決できると共に、周波数変換ブロック同士の干渉によるスプリアスの発生を抑制でき、しかも既存の回路基板サイズに収容可能な回路レイアウトを実現できる。
【発明を実施するための最良の形態】
【００２２】
以下、本発明の実施の形態について添付図面を参照して詳細に説明する。
図１（ａ）（ｂ）は本実施の形態に係るワイドバンドＬＮＢにおける第１回路基板面及び第２回路基板面の回路レイアウトを示す平面図である。なお、本実施の形態に係るワイドバンドＬＮＢは、前述した図３に示すワイドバンドＬＮＢと同一構成を有しており、回路レイアウトが異なっている。
【００２３】
図１（ａ）は本実施の形態における第１回路基板面２１の回路レイアウトを示しており、図１（ｂ）は第２回路基板面２２の回路レイアウトを示している。回路基板１０の一方の面である第１回路基板面２１の回路レイアウトは前述した図５（ａ）に示すものと同じ構成である。すなわち、第１回路基板面２１は、水平偏波信号Ｈ及び垂直偏波信号Ｖが入力する入力ポート１１、１２から中間周波増幅器１１６，１２６までの回路素子及び線路が配置され、その下にＤＣ／ＤＣブロック１０８が配置されている。また、第１回路基板面２１においてＤＣ／ＤＣブロック１０８の横のスペースにスルーホール３１２が設けられ、第２回路基板面２２からスルーホール３１２を介して第１回路基板面２１側に導かれた信号が出力ポート１０７に入力するようにしている。
【００２４】
図１（ｂ）は回路基板１０の他方の面である第２回路基板面２２の回路レイアウトを示す図である。なお、当該第２回路基板面２２に配置される個々の回路素子については、図５（ｂ）に示す回路レイアウトと同じであるので同一符号を付して説明する。
【００２５】
本実施の形態では、第２回路基板面２２の略中央部両側に設けられた信号導出位置としてのスルーホール３１０及び３１１を通る線分を中心にして、その上下に回路素子が対称に配置されている。導出位置としてのスルーホール３１０及び３１１を通る線分よりも上側であって回路基板面２２中央部に第１のスイッチ回路１１８が配置されている。第１のスイッチ回路１１８は、第１の入力端子１１８ａ及び第１の出力端子１１８ｃが設けられた左側面を、第１回路基板面２１から水平偏波信号Ｈを導くスルーホール３１０側に向けている。また、スイッチ回路１１８は、第２の入力端子１１８ｂ及び第２の出力端子１１８ｄが設けられた右側面を、第１回路基板面２１から垂直偏波信号Ｖを導くスルーホール３１１側に向けている。なお、第１の入力端子１１８ａ及び第２の入力端子１１８ｂは、第１の出力端子１１８ｃ及び第２の出力端子１１８ｄよりも中央寄りに設けられている。
【００２６】
一方、信号導出位置としてのスルーホール３１０及び３１１を通る線分よりも下側であって回路基板面２２中央部に第２のスイッチ回路１２８が配置されている。第２のスイッチ回路１２８は、第３の入力端子１２８ａ及び第３の出力端子１２８ｃが設けられた左側面を、第１回路基板面２１から水平偏波信号Ｈを導くスルーホール３１０側に向けている。また、第２のスイッチ回路１２８は、第４の入力端子１２８ｂ及び第４の出力端子１２８ｄが設けられた右側面を、第１回路基板面２１から垂直偏波信号Ｖを導くスルーホール３１１側に向けている。なお、第３の入力端子１２８ａ及び第４の入力端子１２８ｂは、第３の出力端子１２８ｃ及び第４の出力端子１２８ｄよりも中央寄りに設けられている。
【００２７】
このように、第１及び第２のスイッチ回路１１８及び１２８を、スルーホール３１０及び３１１を通る線分を挟んで配置し、水平偏波信号Ｈが入力される第１及び第３の入力端子１１８ａ、１２８ａが設けられたスイッチ回路１１８及び１２８の左側面を、水平偏波信号Ｈを導くスルーホール３１０側に向ける一方、垂直偏波信号Ｖが入力される第２及び第４の入力端子１１８ｂ、１２８ｂが設けられたスイッチ回路１１８及び１２８の右側面を、垂直偏波信号Ｖを導くスルーホール３１１側に向けて配置した。これにより、図５（ｂ）に示すような線路の交差を無くすことができ、アイソレーションが劣化する問題を解決できる。
【００２８】
図２（ａ）は第１及び第２のスイッチ回路１１８，１２８と第３〜第６の周波数変換ブロックとしての４つのＦＣＢ２２７，２２８，３２４，３２５の位置関係を示す図である。４つのＦＣＢ２２７，２２８，３２４，３２５は、互いの距離が離れるほどスプリアスの発生を抑制する効果が高くなる。本実施の形態では、第１及び第２のスイッチ回路１１８及び１２８を中心とした正方形の４頂点に４つのＦＣＢ２２７，２２８，３２４，３２５をそれぞれ配置している。すなわち、線分Ｌ１の上側に配置された第１のスイッチ回路１１８の第１の出力端子１１８ｃから出力された信号を受けるＦＣＢ２２４は当該スイッチ回路１１８の左上の頂点に配置され、第１のスイッチ回路１１８の第２の出力端子１１８ｄから出力された信号を受けるＦＣＢ２２５は当該スイッチ回路１１８の右上の頂点に配置されている。また、線分Ｌ１の下側に配置された第２のスイッチ回路１２８の第３の出力端子１２８ｃから出力された信号を受けるＦＣＢ３２４は当該スイッチ回路１２８の左下の頂点に配置され、第２のスイッチ回路１２８の第４の出力端子１２８ｄから出力された信号を受けるＦＣＢ３２５は当該スイッチ回路１２８の右下の頂点に配置されている。なお、４つのＦＣＢ２２７，２２８，３２４，３２５が配置される頂点が正方形であれば縦方向及び横方向に隣接するＦＣＢ同士の距離は等距離になるが、スプリアスを十分に抑制できる程度まで離間しているのであれば、必ずしも等距離にする必要はない。
【００２９】
図２（ｂ）は図５（ｂ）に示した回路レイアウトにおける第１及び第２のスイッチ回路１１８及び１２８と４つのＦＣＢ２２７，２２８，３２４，３２５の位置関係を示す図である。本実施の形態での回路レイアウト（図２（ａ））と比較すると明らかなように、図２（ｂ）に示した回路レイアウトでは回路基板面の横方向の距離Ｗ１の中に４つのＦＣＢを配置しなければならないのに対して、本実施の形態は距離Ｗ１の中に２つのＦＣＢを配置すれば良い。したがって、本実施の形態によれば、第２回路基板面２２において横方向に隣接するＦＣＢ（２２４，２２５）（３２４，３２５）の間隔を図５（ｂ）に示した回路レイアウトに比べ２倍程度広くすることができ、横方向に隣接するＦＣＢ（２２４，２２５）（３２４，３２５）同士での干渉が無くなりスプリアスの発生を防止できる。また、第２回路基板面２２において縦方向に隣接するＦＣＢ（２２４，３２４）（２２５，３２５）は線分Ｌ１を挟んで横方向と略同距離だけ離間しているので、縦方向に隣接するＦＣＢ間の干渉も防止でき、スプリアスの発生を十分に抑制できる。
【００３０】
このように、信号導出位置としてのスルーホール３１０及び３１１を結ぶ線分Ｌ１を挟んで第１のスイッチ回路１１８及び該スイッチ回路１１８から信号を受けるＦＣＢ２２４，２２５と、第２のスイッチ回路１２８及び該スイッチ回路１２８から信号を受けるＦＣＢ３２４，３２５と、を対称に配置したので、４つのＦＣＢ２２７，２２８，３２４，３２５が干渉しない距離まで離して配置することができ、スプリアスの発生を十分に抑制できる。
【００３１】
なお、信号導出位置としてのスルーホール３１０及び３１１を結ぶ線分Ｌ１の上側に配置されたＦＣＢ２２４及び２２５の上側のスペースにバンドパスフィルタ２２７及び２２８が配置されている。また、スルーホール３１０及び３１１を結ぶ線分Ｌ１の下側に配置されたＦＣＢ３２４及び３２５の下側のスペースにバンドパスフィルタ３２７及び３２８が配置されている。
【００３２】
このように本実施の形態によれば、第２回路基板面２２の中央部に信号導出位置となるスルーホール３１０及び３１１を通る線分Ｌ１を挟んで第１及び第２のスイッチ回路１１８及び１２８を配置し、第１のスイッチ回路１１８及びＦＣＢ２２４，２２５と、第２のスイッチ回路１２８及びＦＣＢ３２４，３２５と、を対称に配置したので、スルーホール３１０及び３１１からスイッチ回路１１８及び１２８の入力端子１１８ａ，１１８ｂ，１２８ａ，１２８ｂに至る線路の交差を無くしてアイソレーションの劣化を防止でき、ＦＣＢ２２７，２２８，３２４，３２５間の干渉によるスプリアスを十分に抑制することができる。
【産業上の利用可能性】
【００３３】
本発明は、受信した放送信号から選択した複数の信号を１本のケーブルに重畳して出力するローノイズブロックコンバータに適用可能である。
【図面の簡単な説明】
【００３４】
【図１】（ａ）本実施の形態に係るワイドバンドＬＮＢの第１回路基板面の平面図、（ｂ）本実施の形態に係るワイドバンドＬＮＢの第２回路基板面の平面図
【図２】（ａ）図１（ｂ）の第２回路基板面の一部を抜き出した部分拡大図、（ｂ）図５（ｂ）の回路基板面の一部を抜き出した部分拡大図
【図３】ワイドバンドＬＮＢの回路構成図
【図４】図３に示すワイドバンドＬＮＢの回路レイアウトを示す図
【図５】図３に示すワイドバンドＬＮＢの他の回路レイアウトを示す図
【図６】従来のＬＮＢの回路構成図
【符号の説明】
【００３５】
１０  回路基板
２１  第１回路基板面
２２  第２回路基板面
１０７  出力ポート
１０８  ＤＣ／ＤＣブロック
１０９  マイコンブロック
１１１，１２１  低雑音増幅器
１１２，１２２  バンドパスフィルタ
１１３，１２３  混合器
１１４  発振器
１１５  増幅器
１１６，１２６  中間周波増幅器
１１７，１２７  分配器
１１８  第１のスイッチ回路
１１８ａ  第１の入力端子
１１８ｂ  第２の入力端子
１１８ｃ  第１の出力端子
１１８ｄ  第２の出力端子
１２８  第２のスイッチ回路
１２８ａ  第３の入力端子
１２８ｂ  第４の入力端子
１２８ｃ  第３の出力端子
１２８ｄ  第４の出力端子
２０１、２０２  入力ポート
２２４，２２５，３２４，３２５  周波数変換ブロック（ＦＣＢ）
２２７，２２８，３２７，３２８  バンドパスフィルタ
２２９  パワーコンバイナ
３１０，３１１，３１２  スルーホール
【図１】
2007129313.tif 000003
【図２】
2007129313.tif 000004
【図３】
2007129313.tif 000005
【図４】
2007129313.tif 000006
【図５】
2007129313.tif 000007
【図６】
2007129313.tif 000008